(57)【特許請求の範囲】
【請求項１】
基材と、
前記基材の一方の面に形成された情報記録層と、
前記情報記録層に重ねて形成された相対的に厚い部分と薄い部分の２段階の厚さを有する剥離層と、
前記剥離層の相対的に厚い部分と薄い部分それぞれに重ねて形成された隠蔽層と、を有し、
前記剥離層の相対的に薄い部分に重ねて形成された前記隠蔽層の厚さは、前記剥離層の相対的に厚い部分と薄い部分の差より薄いことを特徴とするスクラッチシート。
【請求項２】
前記基材は、紙であることを特徴とする請求項１に記載のスクラッチシート。
【発明の詳細な説明】
【技術分野】
【０００１】
本発明は、所定の作業を行うことにより、隠蔽されていた情報を視認可能とするスクラッチシートに関する。
【背景技術】
【０００２】
従来、隠したい情報の上に隠蔽層を形成し、この隠蔽層をコイン等でスクラッチする（引っ掻く、擦る）ことにより、隠されていた情報を視認可能にするスクラッチ構造を有するシートが用いられている。このようなスクラッチ構造を有するシートは、くじ、抽選券等、情報を隠蔽しておく必要のある媒体に利用されている。出願人も、スクラッチ構造を有するシート（スクラッチシート）として、様々な形態のものを提案している（特許文献１、２参照）。
【先行技術文献】
【特許文献】
【０００３】
【特許文献１】特開２０１３−２２８５３号公報
【特許文献２】特開２０１３−９１２３３号公報
【発明の概要】
【発明が解決しようとする課題】
【０００４】
スクラッチシートは、上述のように、くじ、抽選券等に用いられることが多く、エンタテイメント性が要求されるものである。しかしながら、従来のスクラッチシートでは、隠蔽層を削ったり剥がしたり等、所定の作業を行うことにより隠された情報を出現させるだけであった。
【０００５】
そこで、本発明は、所定の作業を行うことにより、単に隠された情報を知ることができるだけでなく、段階的に情報を出現させることが可能なスクラッチシートを提供することを課題とする。
【課題を解決するための手段】
【０００６】
上記課題を解決するため、本発明第１の態様では、
基材と、
前記基材の一方の面に形成された情報記録層と、
前記情報記録層に重ねて形成された相対的に厚い部分と薄い部分の２段階の厚さを有する剥離層と、
前記剥離層の相対的に厚い部分と薄い部分それぞれに重ねて形成された隠蔽層と、
を有することを特徴とするスクラッチシートを提供する。
【０００７】
本発明第１の態様によれば、スクラッチシートが、基材の一方の面に形成された情報記録層と、情報記録層に重ねて形成された相対的に厚い部分と薄い部分の２段階の厚さを有する剥離層と、剥離層の相対的に厚い部分と薄い部分それぞれに重ねて形成された相対的に厚い部分と薄い部分の２段階の厚さを有する隠蔽層と、を有するので、隠蔽層を剥離した際に、隠蔽層の一部が残り、さらに残った隠蔽層を除去する作業を行うことにより、単に隠された情報を知ることができるだけでなく、段階的に情報記録層が表現する情報を出現させることが可能となる。
【０００８】
また、本発明第２の態様では、前記剥離層の相対的に薄い部分に重ねて形成された前記隠蔽層の厚さは、前記剥離層の相対的に厚い部分と薄い部分の差より薄いことを特徴とする。
【０００９】
本発明第２の態様によれば、剥離層の相対的に薄い部分に重ねて形成された隠蔽層の厚さは、剥離層の相対的に厚い部分と薄い部分の差より薄いので、粘着テープ等を用いて、剥離層の相対的に厚い部分に重なる隠蔽層のみを剥離することが可能となる。
【００１０】
また、本発明第３の態様では、前記基材は、紙であることを特徴とする。
【００１１】
本発明第３の態様によれば、情報記録層、剥離層、隠蔽層が重ねられる基材が紙であるので、基材と隠蔽層の顔料が絡むことにより、粘着テープ等を用いた場合に、隠蔽層の下層側の一部を剥離し難くなる。
【発明の効果】
【００１２】
本発明によれば、所定の作業を行うことにより、単に隠された情報を知ることができるだけでなく、段階的に情報を出現させることが可能となる。
【図面の簡単な説明】
【００１３】
【図１】本発明第１の実施形態に係るスクラッチシートを示す図である。
【図２】本発明第２の実施形態に係るスクラッチシートを示す図である。
【図３】本発明第３の実施形態に係るスクラッチシートを示す図である。
【図４】粘着テープ等を利用して隠蔽層４ａを除去した状態のスクラッチシートを示す図である。
【図５】硬貨により擦られた後の状態におけるスクラッチシートを示す図である。
【図６】剥離層３の厚塗布部３ａと薄塗布部３ｂとの平面方向における関係により得られるパターンの異なる例を示す図である。
【発明を実施するための形態】
【００１４】
以下、本発明の好適な実施形態について、図面を参照して詳細に説明する。
＜１．スクラッチシートの構成＞
図１は、本発明第１の実施形態に係るスクラッチシートを示す図である。図１（ａ）は平面図であり、図１（ｂ）は、図１（ａ）のＡ−Ａ線に対応する断面図である。図１において、１は基材、２は情報記録層、３（３ａ、３ｂ）は剥離層、４（４ａ、４ｂ）は隠蔽層、１０はスクラッチシートである。基材１は、情報記録層２、剥離層３および隠蔽層４を支持する支持体としての役割を果たすものであり、カードや印刷物等、目的・用途に応じた厚さ・サイズのものが用いられる。基材１の一方の面、他方の面、または両面には、別途印刷インキにより所定の情報が印刷された印刷層が形成されていてもよい。
【００１５】
情報記録層２は、文字、図柄等による所定の情報が記録された層である。情報記録層２は、その上に重ねて形成された隠蔽層４により、視認困難なように隠蔽される。
【００１６】
剥離層３は、隠蔽層４を情報記録層２から容易に剥離するために形成された層である。剥離層３は、情報記録層２を覆うようにして形成されている。剥離層３は、相対的に厚い部分である厚塗布部３ａと、相対的に薄い部分である薄塗布部３ｂを有している。隠蔽層４は、情報記録層２を隠蔽するために形成された層である。隠蔽層４は、剥離層３に重ねて形成されている。したがって、隠蔽層４も、情報記録層２を覆うようにして形成されている。
【００１７】
隠蔽層４は、情報記録層２により表現された情報を隠すための層であり、情報記録層２を覆うようにして形成されている。隠蔽層４は、実質的に均一な厚さで塗布されるため、剥離層３の厚塗布部３ａと薄塗布部３ｂの厚さの差より薄い場合には、厚塗布部３ａ上の隠蔽層４ａと薄塗布部３ｂ上の隠蔽層４ｂに分離する。隠蔽層４を削る際に、粘着テープ等を用いて剥離することもできるように、隠蔽層４は、銀インキ等を用いて形成されている。
【００１８】
図１（ｂ）の断面図は、スクラッチシート１０の層構成を示すものであるため、現実とは厚さの比が異なっている。現実には、スクラッチシートの幅が数十ｍｍ〜数百ｍｍであるのに対して、スクラッチシートの厚さは、数百μｍ程度である。また、図１（ｂ）においては、基材１、情報記録層２、剥離層３、隠蔽層４の各層の厚さを同一にして示しているが、現実には、後述するように、それぞれ異なった厚さとなっている。なお、スクラッチシートの層構成は、どちらを上層、下層としてもよいが、以下では説明に便宜上、隠蔽層４側を上層、基材１側を下層として説明していく。
【００１９】
基材１としては、例えば、上質紙、アート紙、コート紙、キャストコート紙、合成樹脂又はエマルジョン含浸紙、合成ゴムラテックス含浸紙、合成樹脂内添紙、セルロース繊維紙等の紙、ポリオレフィン（ポリエチレン、ポリプロピレンなど）、ポリスチレン、ポリカーボネート、ポリエチレンテレフタレート、ポリ塩化ビニル、ポリメタクリレート等の各種合成樹脂のプラスチックシート、また、これらの合成樹脂に白色顔料や充填剤を加えて成膜した白色不透明フィルム、あるいは基材内部に微細空隙（ミクロボイド）を有するフィルム（いわゆる合成紙）を使用することができる。
【００２０】
基材１の厚さについては、特に限定はないが、３μｍ〜３００μｍが好ましく、２０μｍ〜１７５μｍであることがより好ましい。基材１の色についても、特に限定はないが、情報記録層２に表現された情報を視認し易いように、情報記録層２と異なる色であることが好ましい。
【００２１】
情報記録層２は、上述のように、文字、図柄等による所定の情報が記録された層である。所定の情報としては、様々な情報を記録することができる。例えば、「１２３４５」のような番号を示す情報を記録しておき、スクラッチシートを抽選のためのくじとして用いることができる。情報記録層２は、公知の印刷インキを、公知の印刷方式により印刷することにより形成される。
【００２２】
剥離層３は、隠蔽層４の情報記録層２からの剥離を容易にするための層である。そのため、剥離層３としては、隠蔽層４が情報記録層２から容易に剥離できるような接着性の低いものを使用することが好ましい。剥離層３の形成には、例えば、フッ素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。また、本実施形態では、下層側の情報記録層２を視認するため、剥離層３が透明性を有していることが好ましい。
【００２３】
剥離層３は、相対的に厚い部分と薄い部分の２段階の厚さを有している。相対的に厚い部分は厚塗布部３ａであり、相対的に薄い部分は薄塗布部３ｂである。厚塗布部３ａの厚さと薄塗布部３ｂの厚さの差や比率は、明確に異なるように形成されている。厚塗布部３ａの厚さと薄塗布部３ｂの厚さの差や比率については、明確に異なるように形成されている限り、特別な限定はないが、厚さの差は、隠蔽層４ｂの厚さよりも大きいことが好ましい。厚塗布部３ａの厚さと薄塗布部３ｂの厚さの差が、隠蔽層４ｂの厚さ以下である場合は、隠蔽層４ｂと隠蔽層４ａと一体化してしまい、粘着テープで隠蔽層４ａを剥がす際に、隠蔽層４ｂも同時に剥がれてしまう恐れが高まるためである。
【００２４】
また、剥離層３を形成するための塗布量・塗布厚は特に限定されないが、好ましくは、薄塗布部３ｂの塗布厚は０．１μｍ〜３μｍである。厚塗布部３ａの厚さと薄塗布部３ｂの厚さの差は、０．５μｍ〜３μｍであることが好ましい。厚塗布部３ａの厚さと薄塗布部３ｂの厚さの差が０．５μｍ未満であると、隠蔽層４ｂの厚さ以下となってしまい、隠蔽層４ｂと隠蔽層４ａが一体化してしまうためである。また、厚塗布部３ａの厚さと薄塗布部３ｂの厚さの差が３μｍを超えると、厚塗布部３ａが安定して形成されないためである。
【００２５】
隠蔽層４は、コイン等で削り取ったり、接着剤により剥離したりすることが可能な層であって、情報記録層２を隠蔽するための層である。隠蔽層４は、隠蔽性の高いインキを印刷することにより形成される。具体的には、隠蔽性の高い顔料が、比較的多量にバインダ樹脂中に分散したものであって、必要に応じて、着色の目的で、染料もしくは通常の顔料が配合されたインキであってもよい。隠蔽層４は、剥離層３に重ねて形成される。上述のように、剥離層３が、相対的に厚い部分と薄い部分の２段階の厚さを有しているため、隠蔽層４は、２つの層に分離されることになる。図１（ｂ）に示すように、隠蔽層４ａは、剥離層３の相対的に厚い部分である厚塗布部３ａに重なり、隠蔽層４ｂは、剥離層３の相対的に薄い部分である薄塗布部３ｂに重なる。
【００２６】
隠蔽層４を構成する隠蔽性の高い顔料としては、銀粉末、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。また、隠蔽層４を構成するバインダ樹脂としては、上記の隠蔽性の高い顔料を保持し、基材との接着性の良好なものを選択して用いる。例えば、天然ゴム、もしくは塩酸ゴム等のゴム系天然樹脂、ポリブタジエン、スチレン−ブタジエン共重合体、アクリロニトリル−ブタジエン共重合体、ポリイソプレン、ポリクロロプレン、アクリル、塩化ビニル、もしくは塩化ビニル−酢酸ビニル共重合体等を使用する。
【００２７】
隠蔽層４は、例えば、金属粉をインキ化した銀インキなどをオフセット印刷方式、グラビア印刷方式、シルクスクリーン印刷方式などの公知の印刷方式で形成すればよく、隠蔽性をあげるために複数回印刷してもよい。また、隠蔽性のある異なるインキによる印刷層を複数層形成してもよい。隠蔽層４を形成するための塗布量・塗布厚は特に限定されないが、剥離層３の厚塗布部３ａと重なる部分である隠蔽層４ａ、薄塗布部３ｂと重なる部分である隠蔽層４ｂにおいても、塗布厚は０．１μｍ〜１０μｍであることが好ましい。第１の実施形態においては、隠蔽層４が薄いことが特徴である。したがって隠蔽層４の塗布厚は、０．１μｍ〜１μｍであることがより好ましい。特に、剥離層３の相対的に薄い部分である薄塗布部３ｂに重ねて形成された隠蔽層４ｂの厚さは、剥離層３の相対的に厚い部分である厚塗布部３ａと薄い部分である薄塗布部３ｂの差より薄い。このため、粘着テープ等を用いて、剥離層の相対的に厚い部分である厚塗布部３ａに重なる隠蔽層４ａのみを剥離することが可能となる。
【００２８】
＜１．２．第２の実施形態＞
次に、第２の実施形態について説明する。第２の実施形態は、第１の実施形態に比べて隠蔽層の厚さを厚くしたものである。第２の実施形態においては、隠蔽層４の塗布厚は、３μｍ〜７μｍであることが好ましい。図２は、本発明第２の実施形態に係るスクラッチシートを示す図である。図２（ａ）は平面図であり、図２（ｂ）は、図２（ａ）のＡ−Ａ線に対応する断面図である。図２においても、図１と同様、１は基材、２は情報記録層、３（３ａ、３ｂ）は剥離層、４（４ａ、４ｂ）は隠蔽層、１０はスクラッチシートである。図１との相違は、剥離層３の相対的に厚い部分である厚塗布部３ａに重なる隠蔽層４ａ、剥離層３の相対的に薄い部分である薄塗布部３ｂに重なる隠蔽層４ｂが厚いため、分離せずに一体となっている点である。すなわち、第２の実施形態では、厚塗布部３ａの厚さと薄塗布部３ｂの厚さの差よりも隠蔽層４ｂの厚さが厚いため、隠蔽層４ｂと隠蔽層４ａが一体化する。
【００２９】
図２は、層構成を模式的に示したものである。実際には、スクラッチシートの構造は、図２に示すように単純なものではない。基材１が紙である場合には、情報記録層２、剥離層３、隠蔽層４は、基材１に浸透する。紙とは、繊維（植物繊維やその他の繊維）を有するものであり、上述のように上質紙等に限らず、アート紙、コート紙、キャストコート紙、合成樹脂又はエマルジョン含浸紙、合成ゴムラテックス含浸紙、合成樹脂内添紙、セルロース繊維紙等であってもよい。隠蔽層４が、基材１に浸透した場合には、隠蔽層４の顔料が基材１の繊維と絡まる。この場合、粘着テープ等と接触した場合であっても、隠蔽層４は、スクラッチシート１０から剥離され難くなる。したがって、断面を見た時に、情報記録層２、剥離層３、隠蔽層４が基材１に埋もれている箇所が存在することにはなるが、情報記録層２の下層には、必ず基材１の繊維が存在するので、図２（ｂ）に示したような層構成は実現されることになる。上述のように、第２の実施形態においては、基材１として繊維を有する紙類を用いると、隠蔽層４ｂが粘着テープ等により剥がれ難くなり、好ましいものである。
【００３０】
＜１．３．第３の実施形態＞
次に、第３の実施形態について説明する。第３の実施形態は、第２の実施形態に比べて、さらに隠蔽層の厚さを厚くしたものである。第３の実施形態においては、隠蔽層４の塗布厚は、７μｍ〜１０μｍであることが好ましい。図３は、本発明第３の実施形態に係るスクラッチシートを示す図である。図３（ａ）は平面図であり、図３（ｂ）は、図３（ａ）のＡ−Ａ線に対応する断面図である。図３においても、図１、図２と同様、１は基材、２は情報記録層、３（３ａ、３ｂ）は剥離層、４（４ａ、４ｂ）は隠蔽層、１０はスクラッチシートである。図１、図２との相違は、剥離層３の相対的に厚い部分である厚塗布部３ａに重なる隠蔽層４ａ、剥離層３の相対的に薄い部分である薄塗布部３ｂに重なる隠蔽層４ｂが、より厚いため、分離せずに一体となっているだけでなく、上面（図３（ｂ）の上側）が略平坦に近い状態になっている点である。このように、隠蔽層４の上面を平坦に近い状態にするためには、隠蔽層の印刷後、乾燥または硬化まで時間を掛けて行う必要がある。
【００３１】
図３は、層構成を模式的に示したものである。実際には、スクラッチシートの構造は、図３に示すように単純なものではない。基材１が紙類である場合には、図２と同様、情報記録層２、剥離層３、隠蔽層４は、基材１に浸透する。特に、隠蔽層４が、基材１に浸透した場合には、隠蔽層４の顔料が基材１の繊維と絡まる。この場合、粘着テープ等と接触した場合であっても、隠蔽層４は、スクラッチシート１０から剥離され難くなる。したがって、断面を見た時に、情報記録層２、剥離層３、隠蔽層４が基材１に埋もれている箇所が存在することにはなるが、情報記録層２の下層には、必ず基材１の繊維が存在するので、図３（ｂ）に示したような層構成は実現されることになる。上述のように、第３の実施形態においては、基材１として繊維を有する紙類を用いると、隠蔽層４ｂが粘着テープ等により剥がれ難くなり、好ましいものである。
【００３２】
＜２．実施例＞
（実施例１）
基材１として、１２７．９ｇ／ｍ2の三菱製紙株式会社製のマットコート紙「ニューＶマット」を使用した。
まず、通常のオフセットインキを用いて、オフセット印刷方式により、上記基材１上に、情報記録層２の形成を行った。本実施形態では、図４（ａ）に示すように、文字情報である「１２３４５」を形成した。
また、同様に通常のオフセットインキを用いて、オフセット印刷方式により、所定のメッセージ（図４（ａ）の例では、「スクラッチシート」「コインで擦って下さい」「テープで剥離して下さい」等）、その他必要な絵柄等の印刷を行った。
続いて、厚塗布部３ａと薄塗布部３ｂを形成するための凹凸を備えた版を用意し、この版を用いて、情報記録層２を覆うように、剥離インキを印刷した。剥離インキとしては、SICPA社製「UV Flexo UV Release Varnish Fluo Blue 9R0128V」を用いた。
剥離インキの印刷は、厚塗布部３ａの厚さ４μｍ、薄塗布部３ｂの厚さ３μｍになるようにフレキソ印刷方式により印刷した。この結果、情報記録層２に重なり、厚塗布部３ａと薄塗布部３ｂを有する剥離層３が形成された。
さらに、剥離層３に重ねて、墨インキを印刷した。墨インキとしては、SICPA社製「UV Flexo Scratch-Off Black 7UG7009」を用いた。墨インキは、厚さが０．４μｍになるようにフレキソ印刷方式により印刷した。さらに、墨インキに重ねて、銀インキを印刷した。銀インキとしては、SICPA社製「UV FlexoVarnish For Scratch Off Silver/Gold 880770」と「UV Silver Paste 880761」を４：１の質量比で混合したものを用いた。銀インキは、厚さが０．４μｍになるようにフレキソ印刷方式により印刷した。この結果、墨インキと銀インキの二層構成となる隠蔽層４が、剥離層３に重ねて形成された。
これにより、図１に示したようなスクラッチシートが完成した。
隠蔽層４は、金属粉を含む銀色であるため、隠蔽層４を通して、情報記録層２に表現された情報を視認することは困難であった。
【００３３】
（実施例２）
隠蔽層４の形成に用いる墨インキと銀インキの厚さ以外は、実施例１と同様にしてスクラッチシートを作成した。墨インキは、厚さが３μｍになるようにフレキソ印刷方式により印刷した。また、銀インキは、厚さが３μｍになるようにフレキソ印刷方式により印刷した。
これにより、図２に示したようなスクラッチシートが完成した。
隠蔽層４は、金属粉を含む銀色であるため、隠蔽層４を通して、情報記録層２に表現された情報を視認することは困難であった。
【００３４】
＜３．使用例＞
（実施例１に対応した使用例）
図１に示したスクラッチシート１０では、隠蔽層４が情報記録層２を覆って形成されている。隠蔽層４は銀色と墨色のインキであるため、図１（ａ）に示すように、情報記録層２を視認することはできない。そのため、図１の例では、「テープで剥離して下さい」というメッセージが、隠蔽層４を示す矢印とともに印刷されている。
【００３５】
図１に示したスクラッチシート１０において、「テープで剥離して下さい」というメッセージに従い、粘着テープの粘着面を隠蔽層４に粘着させた後、粘着テープをスクラッチシート１０から剥がす。すると、隠蔽層４のうち、剥離層３の厚塗布部３ａと重なる隠蔽層４ａが、粘着テープの粘着面に付着した状態で、粘着テープとともに、スクラッチシート１０から剥離される。この際、剥離層３の薄塗布部３ｂと重なる隠蔽層４ｂについては、粘着テープと接触しないため、剥離することができず、剥離層３側に残ったままとなる。実施例１においては、基材１が紙であるため、剥離層３の薄塗布部３ｂと重なる隠蔽層４ｂの顔料が、基材１と絡むことにより、隠蔽層４ｂの下層側の一部を剥離することができず、剥離層３側に残ったままとなる場合もある。隠蔽層４ａは、コインで削ることにより除去することも可能である。しかし、コインで擦ると、薄塗布部３ｂと重なる部分の隠蔽層４ｂも一気に削ってしまい、情報記録層２が全て視認可能になってしまう。このため、２段階で視認状態を変化させるためには、粘着テープを用いて隠蔽層４ａのみを剥がすようにすることが好ましい。
【００３６】
剥離層３の厚塗布部３ａと重なる隠蔽層４ａを剥がすと、スクラッチシート１０は図４に示すような状態となる。図４は、粘着テープにより隠蔽層４ａが剥離された後の状態におけるスクラッチシートを示す図である。図４（ａ）は、この時点におけるスクラッチシートの平面図であり、図４（ｂ）は、図４（ａ）のＢ−Ｂ線に対応する断面図である。図４（ｂ）に示すように、元のスクラッチシート１０からは、隠蔽層４ａが剥離され、情報記録層２の一部は、剥離層３の厚塗布部３ａのみが重なった状態となる。剥離層３は、透明であるため、スクラッチシート１０の表面から見た場合は、図４（ａ）に示すように、情報記録層２が表現する文字「１２３４５」の一部を視認することが可能となる。ここで、剥離層３の透明性の程度は、数μｍ〜数十μｍの厚さを通して視認可能な程度で足りる。剥離層３の透明性が足りず、剥離層３を介して情報記録層２を視認することが困難になったとしても、最終的には硬貨により隠蔽層４および剥離層３を全て削ってしまえば、情報記録層２を全て視認することが可能となる。このため、剥離層３の透明性が高くない場合であっても、スクラッチシートとしては、利用することができる。
【００３７】
粘着テープを利用して隠蔽層４ａのみを剥離した場合、隠蔽層４ｂがスクラッチシート１０に残り、隠蔽層４ｂによる所定のパターンが形成されることになる。図４（ａ）の例では、剥離層３の厚塗布部３ａと薄塗布部３ｂとの平面方向における関係により、薄塗布部３ｂの平面形状である複数の矩形が、格子状に近い形態で形成される。この状態では、情報記録層２が表現する文字「１２３４５」の一部しか視認することができない。そのために、図４（ａ）の例では、「コインで擦って下さい」というメッセージが、隠蔽層４ｂの残存位置を示す矢印とともに印刷されている。
【００３８】
図４に示したスクラッチシート１０において、「コインで擦って下さい」というメッセージに従い、残った隠蔽層４ｂを硬貨で擦ると、硬貨により残った隠蔽層４ｂが削られる。この際、力の加減によっては、硬貨により剥離層３も削られることになる。
【００３９】
この結果、スクラッチシート１０は図５に示すような状態となる。図５は、硬貨により隠蔽層４および剥離層３が擦られた後の状態におけるスクラッチシートを示す図である。すなわち、図５（ｂ）に示すように、情報記録層２が全て表出した状態となる。これにより、スクラッチシート１０の表面から見た場合は、文字「１２３４５」の全てを視認することが可能となる。図５の例は、理想的に、隠蔽層４および剥離層３が全て除去された状態を示しているが、もちろん、硬貨で擦る際の状態により、隠蔽層４および剥離層３が若干残る場合もある。隠蔽層４および剥離層３が若干残った場合であっても、目的とする文字「１２３４５」が十分に視認可能な状態となればよい。
【００４０】
利用者にしてみると、粘着テープで剥離するか、場合によってはコイン等で軽く削ることにより、隠蔽層４の上層側を除去して、情報記録層２により表現された情報（図４、図５の例では、「１２３４５」）の一部を取得することができる。そして、残った隠蔽層４を硬貨等で擦ることにより、隠蔽層４および剥離層３を除去し、情報記録層２により表現された情報を完全な状態として取得することができる。このように、利用者は、１つのスクラッチシートで、段階的に２回楽しむことができる。
【００４１】
（実施例２に対応した使用例）
図２に示したスクラッチシート１０では、隠蔽層４が情報記録層２を覆って形成されている。隠蔽層４は銀色と墨色のインキであるため、図２（ａ）に示すように、情報記録層２を視認することはできない。そのため、図２の例では、「テープで剥離して下さい」というメッセージが、隠蔽層４を示す矢印とともに印刷されている。
【００４２】
図２に示したスクラッチシート１０において、「テープで剥離して下さい」というメッセージに従い、粘着テープの粘着面を隠蔽層４に粘着させた後、粘着テープをスクラッチシート１０から剥がす。すると、隠蔽層４のうち、剥離層３の厚塗布部３ａと重なる隠蔽層４ａが、粘着テープの粘着面に付着した状態で、粘着テープとともに、スクラッチシート１０から剥離される。この際、剥離層３の薄塗布部３ｂと重なる隠蔽層４ｂについては、基材１と隠蔽層４ｂの顔料が絡むことにより、隠蔽層４ｂの下層側の一部を剥離することができず、剥離層３側に残ったままとなる。隠蔽層４ａは、コインで削ることにより除去することも可能である。しかし、コインで擦ると、薄塗布部３ｂと重なる部分の隠蔽層４ｂも一気に削ってしまい、情報記録層２が全て視認可能になってしまう。このため、２段階で視認状態を変化させるためには、粘着テープを用いて隠蔽層４ａのみを剥がすようにすることが好ましい。剥離層３の厚塗布部３ａと重なる隠蔽層４ａを剥がすと、スクラッチシート１０は図４に示すような状態となる。この後は、実施例１に対応した使用例と同様である。
【００４３】
＜４．変形例＞
上記の例では、図４（ａ）に示したように、剥離層３の厚塗布部３ａと薄塗布部３ｂとの平面方向における関係により、薄塗布部３ｂの平面形状である複数の矩形が、格子状に近い形態のパターンを形成した。剥離層３の厚塗布部３ａと薄塗布部３ｂとの平面方向における関係により得られるパターンの異なる例を図６に示す。図６の例では、剥離層３の厚塗布部３ａと薄塗布部３ｂとの平面方向における関係により「コイン」という文字のパターンを形成している。具体的には、剥離層３の薄塗布部３ｂを「コイン」という文字の形状になるように形成し、粘着テープによる隠蔽層４ａの剥離後に、「コイン」という文字が表現されるようにしている。例えば、「コイン」という文字を形成した場合、利用者は、コインで削ることを示唆している、と判断することができるため、「コインで擦って下さい」というメッセージを印刷しないようにすることもできる。
【符号の説明】
【００４４】
１・・・基材
２・・・情報記録層
３・・・剥離層
３ａ・・・厚塗布部
３ｂ・・・薄塗布部
４、４ａ、４ｂ・・・隠蔽層
１０・・・スクラッチシート
【図１】
0006638414.tif 000002
【図２】
0006638414.tif 000003
【図３】
0006638414.tif 000004
【図４】
0006638414.tif 000005
【図５】
0006638414.tif 000006
【図６】
0006638414.tif 000007